【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
複数のプロセッサを用いた熱緩和のための方法であって、
第１の無線アクセス技術に従って第１の通信プロセッサがデータ呼を処理することと、
少なくとも１つの熱しきい値に達したときに第２の通信プロセッサに命令を送ることによって、前記第１の通信プロセッサが熱緩和動作を実行することと、ここにおいて、前記命令は、前記データ呼を前記第２の通信プロセッサに転送し、第２の無線アクセス技術に従って前記データ呼を処理する命令を備える、
前記第２の通信プロセッサにおいて前記命令を受信し、実行することとを備える、方法。
【請求項２】
前記命令が、緊急通信を可能にするためのみの命令をさらに備える、請求項１に記載の方法。
【請求項３】
前記命令が、前記第２の通信プロセッサにパケットデータ通信動作を転送するための命令をさらに備える、請求項１に記載の方法。
【請求項４】
前記少なくとも１つの熱しきい値に達したときに前記データ呼に関連するデータを前記第２の通信プロセッサに与えることをさらに備える、請求項１に記載の方法。
【請求項５】
前記少なくとも１つの熱しきい値に達したときに前記データ呼に関連するセッション情報を前記第２の通信プロセッサに与えることをさらに備える、請求項１に記載の方法。
【請求項６】
熱指示を取得することをさらに備える、請求項１に記載の方法。
【請求項７】
前記第１の通信プロセッサが、前記第２の通信プロセッサよりも高いクロックレートで動作することが可能である、請求項１に記載の方法。
【請求項８】
第１の無線アクセス技術に従ってデータ呼を処理することと、少なくとも１つの熱しきい値に達したときに命令を送ることによって熱緩和動作を実行することとを行うための第１の処理手段と、
前記命令を受信し、実行するための第２の処理手段とを備え、前記命令は、前記データ呼を前記第２の処理手段に転送することと、第２の無線アクセス技術に従って前記データ呼を処理することとを行うための命令を備える、熱緩和のための装置。
【請求項９】
前記命令が、緊急通信を可能にするためのみの命令をさらに備える、請求項８に記載の装置。
【請求項１０】
前記命令が、前記第２の処理手段にパケットデータ通信動作を転送するための命令をさらに備える、請求項８に記載の装置。
【請求項１１】
前記命令が前記少なくとも１つの熱しきい値に基づく、請求項８に記載の装置。
【請求項１２】
前記少なくとも１つの熱しきい値に達したときに前記データ呼に関連するセッション情報を前記第２の処理手段に与えるための手段をさらに備える、請求項８に記載の装置。
【請求項１３】
前記少なくとも１つの熱しきい値に達したときに前記データ呼に関連するデータを前記第２の処理手段に与えるための手段をさらに備える、請求項８に記載の装置。
【請求項１４】
熱指示を取得するための手段をさらに備える、請求項８に記載の装置。
【請求項１５】
実行されたときに、請求項１乃至７のうちのいずれか１項に記載の方法をコンピュータに実行させるためのコードを備える、コンピュータ可読媒体。
【手続補正２】
【補正対象書類名】明細書
【補正対象項目名】０１０６
【補正方法】変更
【補正の内容】
【０１０６】
[00115]  特許請求の範囲は、上記に示した厳密な構成および構成要素に限定されないことを理解されたい。特許請求の範囲から逸脱することなく、本明細書で説明したシステム、方法、および装置の構成、動作および詳細において、様々な修正、変更および変形が行われ得る。
以下に、出願当初の特許請求の範囲に記載された発明を付記する。
［Ｃ１］
複数のプロセッサを用いた熱緩和のためのワイヤレス通信デバイスであって、
データ呼を処理する第１の通信プロセッサと、
前記第１の通信プロセッサに結合された第２の通信プロセッサと、ここにおいて、前記第１の通信プロセッサが、少なくとも１つの熱しきい値に達したときに前記第２の通信プロセッサに命令を送ることによって熱緩和動作を実行し、ここにおいて、前記第２の通信プロセッサが前記命令を受信し、実行するを備える、ワイヤレス通信デバイス。
［Ｃ２］
前記命令が、緊急通信を可能にするためのみの命令を備える、Ｃ１に記載のワイヤレス通信デバイス。
［Ｃ３］
前記命令が、前記第２の通信プロセッサにパケットデータ通信動作を転送するための命令を備える、Ｃ１に記載のワイヤレス通信デバイス。
［Ｃ４］
前記命令が、ストリーミングデータトラフィックを無効にするように前記第２の通信プロセッサに指示する、Ｃ１に記載のワイヤレス通信デバイス。
［Ｃ５］
前記命令が前記少なくとも１つの熱しきい値に基づく、Ｃ１に記載のワイヤレス通信デバイス。
［Ｃ６］
前記熱緩和動作が、処理クロック速度を低減することと、受信データレートを低減することと、送信データレートを低減することと、ストリーミングデータトラフィックを無効にすることとからなるグループのうちの少なくとも１つを備える、Ｃ１に記載のワイヤレス通信デバイス。
［Ｃ７］
前記第１の通信プロセッサが、前記少なくとも１つの熱しきい値に達したときに前記データ呼に関連するデータを前記第２の通信プロセッサに与える、Ｃ１に記載のワイヤレス通信デバイス。
［Ｃ８］
前記第１の通信プロセッサが、前記少なくとも１つの熱しきい値に達したときに前記データ呼に関連するセッション情報を前記第２の通信プロセッサに与える、Ｃ１に記載のワイヤレス通信デバイス。
［Ｃ９］
熱指示を取得する前記第１の通信プロセッサに結合された少なくとも１つの熱センサーをさらに備える、Ｃ１に記載のワイヤレス通信デバイス。
［Ｃ１０］
前記第１の通信プロセッサがモデムを備える、Ｃ１に記載のワイヤレス通信デバイス。
［Ｃ１１］
前記第１の通信プロセッサが、送信機と受信機とからなるグループのうちの少なくとも１つを備える、Ｃ１に記載のワイヤレス通信デバイス。
［Ｃ１２］
前記第２の通信プロセッサがモデムを備える、Ｃ１に記載のワイヤレス通信デバイス。
［Ｃ１３］
前記第２の通信プロセッサが、送信機と受信機とからなるグループのうちの少なくとも１つを備える、Ｃ１に記載のワイヤレス通信デバイス。
［Ｃ１４］
前記第１の通信プロセッサが、前記第２の通信プロセッサよりも高いクロックレートで動作することが可能である、Ｃ１に記載のワイヤレス通信デバイス。
［Ｃ１５］
前記第１の通信プロセッサが、時分割ロングタームエボリューション（ＴＤ−ＬＴＥ）と、時分割同期符号分割多元接続（ＴＤ−ＳＣＤＭＡ）と、周波数分割複信ロングタームエボリューション（ＦＤＤ−ＬＴＥ）と、ユニバーサルモバイルテレコミュニケーションシステム（ＵＭＴＳ）と、モバイル通信用グローバルシステム（ＧＳＭ（登録商標））ＧＳＭ進化型高速データレート（ＥＤＧＥ）無線アクセスネットワーク（ＧＥＲＡＮ）と、全地球測位システム（ＧＰＳ）とからなるグループのうちの少なくとも１つによる通信機能を与える、Ｃ１に記載のワイヤレス通信デバイス。
［Ｃ１６］
前記第２の通信プロセッサが、モバイル通信用グローバルシステム（ＧＳＭ）と、汎用パケット無線サービス（ＧＰＲＳ）と、ＧＳＭ進化型高速データレート（ＥＤＧＥ）と、第３世代パートナーシッププロジェクト（３ＧＰＰ（登録商標））仕様または第３世代パートナーシッププロジェクト２（３ＧＰＰ２）仕様の第２世代（２Ｇ）、第３世代（３Ｇ）および第４世代（４Ｇ）ワイヤレス技術のうちの１つまたは複数とからなるグループのうちの少なくとも１つによる通信機能を与える、Ｃ１に記載のワイヤレス通信デバイス。
［Ｃ１７］
複数のプロセッサを用いた熱緩和のための方法であって、
第１の通信プロセッサがデータ呼を処理することと、
少なくとも１つの熱しきい値に達したときに第２の通信プロセッサに命令を送ることによって、前記第１の通信プロセッサが熱緩和動作を実行することと、
前記第２の通信プロセッサにおいて前記命令を受信し、実行することとを備える、方法。
［Ｃ１８］
前記命令が、緊急通信を可能にするためのみの命令を備える、Ｃ１７に記載の方法。
［Ｃ１９］
前記命令が、前記第２の通信プロセッサにパケットデータ通信動作を転送するための命令を備える、Ｃ１７に記載の方法。
［Ｃ２０］
前記命令が、ストリーミングデータトラフィックを無効にするように前記第２の通信プロセッサに指示する、Ｃ１７に記載の方法。
［Ｃ２１］
前記命令が前記少なくとも１つの熱しきい値に基づく、Ｃ１７に記載の方法。
［Ｃ２２］
前記熱緩和動作が、処理クロック速度を低減することと、受信データレートを低減することと、送信データレートを低減することと、ストリーミングデータトラフィックを無効にすることとからなるグループのうちの少なくとも１つを備える、Ｃ１７に記載の方法。
［Ｃ２３］
前記少なくとも１つの熱しきい値に達したときに前記データ呼に関連するデータを前記第２の通信プロセッサに与えることをさらに備える、Ｃ１７に記載の方法。
［Ｃ２４］
前記少なくとも１つの熱しきい値に達したときに前記データ呼に関連するセッション情報を前記第２の通信プロセッサに与えることをさらに備える、Ｃ１７に記載の方法。
［Ｃ２５］
熱指示を取得することをさらに備える、Ｃ１７に記載の方法。
［Ｃ２６］
前記第１の通信プロセッサがモデムを備える、Ｃ１７に記載の方法。
［Ｃ２７］
前記第１の通信プロセッサが、送信機と受信機とからなるグループのうちの少なくとも１つを備える、Ｃ１７に記載の方法。
［Ｃ２８］
前記第２の通信プロセッサがモデムを備える、Ｃ１７に記載の方法。
［Ｃ２９］
前記第２の通信プロセッサが、送信機と受信機とからなるグループのうちの少なくとも１つを備える、Ｃ１７に記載の方法。
［Ｃ３０］
前記第１の通信プロセッサが、前記第２の通信プロセッサよりも高いクロックレートで動作することが可能である、Ｃ１７に記載の方法。
［Ｃ３１］
前記第１の通信プロセッサが、時分割ロングタームエボリューション（ＴＤ−ＬＴＥ）と、時分割同期符号分割多元接続（ＴＤ−ＳＣＤＭＡ）と、周波数分割複信ロングタームエボリューション（ＦＤＤ−ＬＴＥ）と、ユニバーサルモバイルテレコミュニケーションシステム（ＵＭＴＳ）と、モバイル通信用グローバルシステム（ＧＳＭ）ＧＳＭ進化型高速データレート（ＥＤＧＥ）無線アクセスネットワーク（ＧＥＲＡＮ）と、全地球測位システム（ＧＰＳ）とからなるグループのうちの少なくとも１つによる通信機能を与える、Ｃ１７に記載の方法。
［Ｃ３２］
前記第２の通信プロセッサが、モバイル通信用グローバルシステム（ＧＳＭ）と、汎用パケット無線サービス（ＧＰＲＳ）と、ＧＳＭ進化型高速データレート（ＥＤＧＥ）と、第３世代パートナーシッププロジェクト（３ＧＰＰ）仕様または第３世代パートナーシッププロジェクト２（３ＧＰＰ２）仕様の第２世代（２Ｇ）、第３世代（３Ｇ）および第４世代（４Ｇ）ワイヤレス技術のうちの１つまたは複数とからなるグループのうちの少なくとも１つによる通信機能を与える、Ｃ１７に記載の方法。
［Ｃ３３］
その上に命令を有する非一時的有形コンピュータ可読媒体を備える、複数のプロセッサを用いた熱緩和のためのコンピュータプログラム製品であって、前記命令が、
ワイヤレス通信デバイスにデータ呼を処理させるためのコードと、
前記ワイヤレス通信デバイスに、少なくとも１つの熱しきい値に達したときに第２の通信プロセッサに第２の命令を送ることによって、前記第１の通信プロセッサによって熱緩和動作を実行させるためのコードと、
前記ワイヤレス通信デバイスに、前記第２の通信プロセッサにおいて前記命令を受信させ、実行させるためのコードとを備える、コンピュータプログラム製品。
［Ｃ３４］
前記第２の命令が、緊急通信を可能にするためのみの命令を備える、Ｃ３３に記載のコンピュータプログラム製品。
［Ｃ３５］
前記第２の命令が、前記第２の通信プロセッサにパケットデータ通信動作を転送するための命令を備える、Ｃ３３に記載のコンピュータプログラム製品。
［Ｃ３６］
前記第２の命令が、ストリーミングデータトラフィックを無効にするように前記第２の通信プロセッサに指示する、Ｃ３３に記載のコンピュータプログラム製品。
［Ｃ３７］
前記第２の命令が前記少なくとも１つの熱しきい値に基づく、Ｃ３３に記載のコンピュータプログラム製品。
［Ｃ３８］
前記熱緩和動作が、処理クロック速度を低減することと、受信データレートを低減することと、送信データレートを低減することと、ストリーミングデータトラフィックを無効にすることとからなるグループのうちの少なくとも１つを備える、Ｃ３３に記載のコンピュータプログラム製品。
［Ｃ３９］
前記命令が、前記ワイヤレス通信デバイスに、前記少なくとも１つの熱しきい値に達したときに前記データ呼に関連するデータを前記第２の通信プロセッサに与えさせるためのコードをさらに備える、Ｃ３３に記載のコンピュータプログラム製品。
［Ｃ４０］
前記命令が、前記ワイヤレス通信デバイスに、前記少なくとも１つの熱しきい値に達したときに前記データ呼に関連するセッション情報を前記第２の通信プロセッサに与えさせるためのコードをさらに備える、Ｃ３３に記載のコンピュータプログラム製品。
［Ｃ４１］
前記命令が、前記ワイヤレス通信デバイスに熱指示を取得させるためのコードをさらに備える、Ｃ３３に記載のコンピュータプログラム製品。
［Ｃ４２］
データ呼を処理することと、少なくとも１つの熱しきい値に達したときに命令を送ることによって熱緩和動作を実行することとを行うための第１の処理手段と、
前記命令を受信し、実行するための第２の処理手段とを備える、熱緩和のための装置。
［Ｃ４３］
前記命令が、緊急通信を可能にするためのみの命令を備える、Ｃ４２に記載の装置。
［Ｃ４４］
前記命令が、前記第２の処理手段にパケットデータ通信動作を転送するための命令を備える、Ｃ４２に記載の装置。
［Ｃ４５］
前記命令が、ストリーミングデータトラフィックを無効にするための命令を備える、Ｃ４２に記載の装置。
［Ｃ４６］
前記命令が前記少なくとも１つの熱しきい値に基づく、Ｃ４２に記載の装置。
［Ｃ４７］
前記熱緩和動作が、処理クロック速度を低減することと、受信データレートを低減することと、送信データレートを低減することと、ストリーミングデータトラフィックを無効にすることとからなるグループのうちの少なくとも１つを備える、Ｃ４２に記載の装置。
［Ｃ４８］
前記少なくとも１つの熱しきい値に達したときに前記データ呼に関連するセッション情報を前記第２の処理手段に与えるための手段をさらに備える、Ｃ４２に記載の装置。
［Ｃ４９］
前記少なくとも１つの熱しきい値に達したときに前記データ呼に関連するデータを前記第２の処理手段に与えるための手段をさらに備える、Ｃ４２に記載の装置。
［Ｃ５０］
熱指示を取得するための手段をさらに備える、Ｃ４２に記載の装置。